【事件の表示】
　商願２０１６−５４８０６拒絶査定不服審判事件について，次のとおり審決する。
【結　論】
　本件審判の請求は，成り立たない。
【理　由】
１　本願商標
　本願商標は，「この惑星を、技術で守りたい。」の文字を標準文字で表したものであり，別掲１に掲げる，第７類，第９類，第１１類，第１２類及び第３５類に属する願書記載のとおりの商品及び役務を指定商品及び指定役務として，平成２８年５月２０日に登録出願されたものである。
２　原査定の拒絶の理由
　本願商標は，「この惑星を、技術で守りたい。」の文字を標準文字で表してなるところ，全体として「この惑星，すなわち，地球を技術により守る決意がある」ないし「この惑星（地球）を技術で守ることを希望する」程の意味合いを容易に把握，認識させるものである。
　そして，各企業は自己の事業や商品の紹介において，「技術」，「いのち（命）」，「地球環境」及び「守る」等の語を使用して，「技術」と関連して「命や地球環境等を守る」という意味合いの企業理念を表示することが一般的に行われている。
　また，請求人は，本願商標を，企業の理念として位置づけており，それを広告宣伝に多用している。
　そうすると，本願商標は，これに接する需要者及び取引者をして，事業の遂行や商品の開発に関する企業理念を表してなるものと認識させるにすぎないというのが相当であり，自他商品及び役務の識別力を有するものではなく，需要者が何人かの業務に係る商品又は役務であることを認識することができない。
　したがって，本願商標は，商標法第３条第１項第６号に該当する。
３　当審における証拠調べ通知
　当審において，本願商標が商標法第３条第１項第６号に該当するか否かについて，職権により証拠調べをした結果，別掲２及び３に掲げる事実を発見したので，同法第５６条第１項で準用する特許法第１５０条第５項の規定に基づき，その結果を請求人に通知し（平成２９年１１月２７日付け証拠調べ通知書），意見を求めた。
４　職権証拠調べ通知に対する請求人の意見
　請求人は，上記３の通知に対して，要旨以下のとおり意見を述べた。
（１）上記３で提示された事例は，「経営理念」等の見出しの下に，地球を守ることや，技術や技術開発等を通じて地球又はその環境を守ることに関する言及が，たまたま文章中に含まれているにすぎない。
（２）本願商標は，全体を称呼したとしても冗長感なく一気に発音され，一種の造語的フレーズとして認識されるもので，全体から生じる「この惑星（地球）を技術で守ることを希望する。」の意味合いは，その指定商品及び指定役務と一義的，直接的な関連性を有するものではない。
（３）請求人は，本願商標を自社コーポレートブランドに準ずる固有のブランドとして継続して使用し，本願商標を表示したテレビＣＭも，２０１２年１２月から日本全国で放映している。
（４）以上を踏まえると，本願商標は，単なる宣伝広告や企業理念，経営方針等を表示するものを超え，その指定商品及び指定役務との関連において，出所識別標識として，我が国の取引者，需要者に認識，把握され得るものであり，商標法第３条第１項第６号に該当しない。
５　当審の判断
（１）本願商標の商標法第３条第１項第６号該当性
　ア　本願商標について
　本願商標は，「この惑星を、技術で守りたい。」の文字を標準文字で表してなるところ，それぞれの構成文字は意味合いの理解が容易な語及び句読点を組みあわせてなるもの，すなわち，「恒星の周囲を公転する星。太陽系では，水星・金星・地球・・・の総称。」の意味を有する「惑星」の語の前に「話し手から『これ』と指せる位置にあるもの・ことにかかわる意」の意味を有する「この」の語を配して，語尾には対象を示す格助詞「を」を配置した「この惑星を」の文字と，「科学を実地に応用して自然の事物を改変・加工し，人間生活に役立てるわざ。」の意味を有する「技術」の語及び「保護する。」の意味を有する「守る」の語尾に願望を示す助動詞「たい」を結合させ活用変化した「守りたい」の語を，手段を示す格助詞「で」でつないだ「技術で守りたい」の文字を，両文字の間に読点を配置し，語尾には句点を配してなるものである（広辞苑第６版）。
　そうすると，本願商標全体としては，その構成中の句読点の存在が，全体として記述的な文章を表してなるものとの印象を与えること，及び「この惑星」の語は「地球」に相当すると容易に理解できることよりすれば，それぞれの構成文字の語義に相応して，「技術をもって，地球を守る」という程度の願望を表した記述的な文章であると容易に認識，理解できるものである。
　以上のとおり，本願商標は，その文字構成及び意味合いからすれば，構成中の特定部分が独立して要部として認識され得るものとは考え難いから，その構成全体をもって把握されるべきものであるところ，その外観は，句読点を含む上記１４文字をありふれた書体で横一連に表示した記述的な一文として看取されるものであって，その称呼は「コノワクセイヲギジュツデマモリタイ」の１６音で冗長であり，その観念においても「技術をもって，地球を守る」という程度の願望を表明したものと理解させるものである。
　イ　取引の実情について
　近年，企業活動に際して，企業理念や経営方針等を策定し，企業の宣伝広告の一環として，ウェブサイトやインタビュー記事などにおいて，会社や経営者からのメッセージとして表明することは一般的に行われており，中でも，「地球」を「守る」ことを環境理念，活動方針等として採択する事例もあり，例えば「地球を守る」，「かけがいのない地球を守るために・・・」，「かけがいのない地球を守ること・・・」，「この美しい地球を守るために」，「地球を守りたい」，「かけがいのない地球を守りたい」，「きれいな地球を守りたい」等のような表現が採択されている（別掲２）。
　加えて，地球や地球環境を守ることを，「技術」や技術開発等を通じて実現を目指す旨の企業理念や環境方針を表明する事例もあり，例えば「そこからの技術は，地球を守るために」，「・・・技術，ノウハウを生かして，地球を守るために・・・」，「・・・新技術で『人と地球のいのちを守る』」等のような表現も採択されている（別掲３）。
　そうすると，「地球」，「技術」及び「守る」の語は，企業の環境理念や活動方針等を表示するために類型的に採用されているものであり，それらの語を結合して，技術をもって人などの命を守ることを環境理念や活動方針として表現することも，少なからず行われている実情がうかがえる。
　ウ　請求人による本願商標の使用について
（ア）請求人から提出された甲各号証（以下，請求人が当審において提出した甲第１号証ないし甲第２１号証のみを甲１ないし甲２１と表記する。）及び請求人の主張によれば，請求人による本願商標の使用と関連して，以下のような事実が認められる。
　ａ　請求人は，本願商標を自社コーポレートブランドに準ずる固有の自社ブランドとして採用し，「この惑星を技術で守りたい。」の文字を表示するシーンのある企業ＣＭを製作，放映しており（原審における平成２８年１２月１９日付けの手続補足書に添付された甲第５号証），本願商標以外の商標を表示するものも含めたテレビＣＭ費用は，２０１６年の全国及び東海地区において約６．２億円であり（甲１，２），宣伝広告費の総計は３５億円を超える。
　ｂ　「この惑星を、技術で守りたい。」の文字を表示する広告を「名古屋ウィメンズマラソンプログラム」（２０１６年３月１３日）（甲４）に，「この惑星を技術で守りたい。」の文字を表示する広告を「名古屋ウィメンズマラソンプログラム」（２０１６年１月１２日）（甲５），「富士スピードウェイ５０周年記念誌」（２０１６年５月４日）（甲６），「中日新聞朝刊」（２０１６年７月２５日）（甲７）に掲載を依頼した。
（イ）上記（ア）の認定事実よりすれば，本願商標と構成文字が共通する文字を表示するテレビＣＭや雑誌広告が，２０１６年に放映及び掲載されたことが確認できるとしても，本願商標を表示するテレビＣＭのみの広告規模，頻度及び期間も明らかではなく，本願商標が，請求人又はその商品との関係において，日本全国における需要者の間において広く知られるようなフレーズとなっているかは明らかではない。なにより，提出された証拠によっては，商標中の句点の有無など，本願商標と同一の文字構成によって一貫性をもって使用されていたものとはいい難く，本願の指定商品及び指定役務についての宣伝広告であったか，本願商標が出所識別標識として看者の印象に残るような態様で表示されていたかなど，いずれも明らかではない。
　したがって，本願商標について，請求人による上記のような広告宣伝の実績があるとしても，その指定商品及び指定役務に係る需要者の間において，請求人又は請求人商品との具体的関係を連想，想起させるに至っているものとはいえず，その他，本願商標が，需要者の間において，出所識別標識として認識，理解されていることを具体的に示す証拠もない。
　エ　小括
　上記を踏まえると，本願商標は，上記アのとおり，「技術をもって，地球を守る」という程度の願望を表した記述的な文章であり，上記イのとおり，その構成文字である「技術」及び「守る」並びに「この惑星」に相当する「地球」の語は，企業の環境理念や活動方針等を表示するために類型的に採用されている実情があり，上記ウのとおり，請求人による本願商標と関連した広告宣伝も，本願商標をして使用による識別性を獲得したというに十分ではないから，これに接する需要者は，自他商品役務の識別標識として認識するのではなく，上記意味合いを有する地球環境と関連した企業理念や経営方針等を表示した一類型として認識，理解するというべきである。
　そうすると，本願商標は，需要者が何人かの業務に係る商品又は役務であることを認識することができない商標というべきであり，商標法第３条第１項第６号に該当する。
（２）請求人の主張について
　ア　請求人は，本願商標は，全体を称呼したとしても冗長感なく一気に発音され，一種の造語的フレーズとして認識されるもので，全体から生じる「この惑星（地球）を技術で守ることを希望する」の意味合いは，その指定商品及び指定役務と一義的，直接的な関連性を有するものではなく，また，上記３で提示された事例は，「経営理念」等の見出しの下に，地球を守ることやそれを技術や技術開発等を通じて行うことに関する言及が，たまたま文章中に含まれているにすぎないから，本願商標全体として，企業理念を表してなるものとはいえない旨を主張する。
　しかしながら，上記（１）アのとおり，本願商標は，平易な語と句読点を組みあわせてなるものであるから，全体として「技術をもって，地球を守る」という程度の願望を表してなる記述的な文章であると容易に理解できるものであり，上記（１）イのとおり，本願商標の構成文字でもある「技術」及び「守る」並びに「この惑星」に相当する「地球」の語は，企業の環境理念や活動方針等を表示するために類型的に採用されているといえるから，全体として地球環境と関連した企業理念や経営理念等を表したものと理解されるというべきである。
　イ　請求人は，自社の固有の特徴やメッセージを取引者，需要者に分かりやすく伝えるため，本願商標を自社コーポレートブランドに準ずる固有の自社ブランドとして継続して使用してきており，本願商標は，単なる宣伝広告や企業理念，経営方針等を表示するものを超えた，本願指定商品，役務との関連において，自他識別機能を発揮し得る商標として，我が国の需要者の間において認識，把握され得る旨を主張する。
　しかしながら，上記（１）ウのとおり，本願商標が，請求人と関連するフレーズとして日本全国において周知となっているものとはいえず，その他，本願商標から請求人又は請求人商標を連想，想起させるような実情を示す具体的な証拠もないのであるから，その主張は採用できない。
　ウ　請求人は，一見，企業理念や経営方針等と思われるような構成からなる商標が登録されている事例があるため（甲８〜２１），これらを本願商標の自他商品・役務識別力の判断において考慮すべきである旨を主張する。
　しかしながら，過去の登録例や審決例に関わらず，商標の識別性の有無の判断は，商標の構成文字や構成態様等に則して，事案に応じて判断すべきところ，本願商標は，上記（１）のとおり，「技術をもって，地球を守る」という程度の願望を表した企業理念や経営方針を表示したものと認識，理解されるのであるから，請求人の援用する事例と同様の判断をする理由はない。
（３）まとめ
　以上のとおり，本願商標は，商標法第３条第１項第６号に該当するため，登録することができない。
　よって，結論のとおり審決する。